(57)【要約】      （修正有）【課題】リニアモータの駆動部に収納されている本体の内部にテンションカバープレートと本体との隙間から塵埃が本体内部に進入することを防止するリニアモータの塵埃防止構造を提供する。【解決手段】本体５の開口部を閉止するテンションカバープレート２の両端にテンションプレート１とテンションカバープレート２の係止部７に係止する溝１ｃを設け、テンションプレートに形成される係止部１ｄを溝１ｃに引っかけバネ部１ｂにより張力を与えることによりテンションカバープレート２は長手方向に引っ張られ、結果として塵埃の進入の防止ができる。【選択図】図５
0003156302.tif 000002
【実用新案登録請求の範囲】
【請求項１】
リニアモータのバネ板状のテンションカバープレートの側面から駆動部への塵埃の進入を防止するための塵埃防止構造であって、該塵埃防止構造は、リニアモータの本体側の開口部を閉止する前記テンションカバープレートの両端部に係止部を設け、前記本体側の前記テンションカバープレートの両端部に対応する位置に前記係止部の係止する溝を形成するテンションプレートを設け、該テンションプレートに前記本体側に弾着するバネ部を一体的に形成することを特徴とするリニアモータの塵埃防止構造。
【請求項２】
前記テンションカバープレートはプレス打ち抜きにより形成されるものであることを特徴とする請求項１に記載のリニアモータの塵埃防止構造。
【考案の詳細な説明】
【技術分野】
【０００１】
本考案は、リニアモータの本体側の開口部を閉止するテンションカバープレートの側面から本件側の駆動への塵埃の進入を確実に防止する簡便構造のリニアモータの塵埃防止構造に関する。
【背景技術】
【０００２】
リニアモータとしては各種の形態のものがあるが、新しい一般的な構造としては駆動部を収納する本体とこの本体の開口部を閉止するテンションカバープレートとこのテンションカバープレートを貫通保持するとともに駆動側と関連するプレートと、このプレートの表面側に固定され移動体を載置する構造のベース台等を有するものからなる。なお、リニアモータとして本考案に似ている公知技術としては同一出願人による「特許文献１」及び他人の出願による「特許文献２」が挙げられる。
【先行技術文献】
【特許文献】
【０００３】
【特許文献１】実用新案登録第３１３２８３６号（図１）
【特許文献２】特開２００５−５１８５７号（図１）
【考案の概要】
【考案が解決しようとする課題】
【０００４】
「特許文献１」の「実用新案登録第３１３２８３６号」の「リニアモータ保護カバ」及び「特許文献２」の「特開２００５−５１８５７号」の「リニアエンコーダ装置、リニアモータ及び単軸ロボット」には本考案と似ているリニアモータが図１等に記載されているが塵埃防止の構造については特別の記載がなく、塵埃が進入する恐れがあると推定される。
【０００５】
本考案は、以上の事情に鑑みて考案されたものであり、簡便の構造のものから構成され、駆動部への塵埃の防止が確実にできるリニアモータの塵埃防止構造を提供することを目的とする。
【課題を解決するための手段】
【０００６】
本考案は、以上の目的を達成するために、請求項１の考案は、リニアモータのバネ板状のテンションカバープレートの側面から駆動部への塵埃の進入を防止するための塵埃防止構造であって、該塵埃防止構造は、リニアモータの本体側の開口部を閉止する前記テンションカバープレートの両端部に係止部を設け、前記本体側の前記テンションカバープレートの両端部に対応する位置に前記係止部の係止する溝を形成するテンションプレートを設け、該テンションプレートに前記本体側に弾着するバネ部を一体的に形成することを特徴とする。
【０００７】
また、請求項２の考案は、前記テンションカバープレートはプレス打ち抜きにより形成されるものであることを特徴とする。
【考案の効果】
【０００８】
本考案の請求項１のリニアモータの塵埃防止構造によれば、テンションカバープレートはその両端に係着されるテンションプレートにより長手方向に張架されると共に、前記テンションプレートが本体側に弾圧されて取り付けられ、結果としてテンションカバープレートはその長手方向に強く張架される。このため、テンションカバープレートの側面が本体側の本体カバーに密着し、隙間がなくなり、結果として内部への塵埃の進入が有効に防止される。
【０００９】
また、本考案の請求項２のリニアモータの塵埃防止構造によれば、テンションプレートはプレスの打ち抜きによって製作されるため簡単に、かつ高精度に製作することができ、安定した確実な塵埃防止を果すことができる。
【図面の簡単な説明】
【００１０】
【図１】本考案のリニアモータの全体構造の外観を示す写真による斜視図。
【図２】図１において本件の開口部を閉止するテンションカバープレート及び移動体の搭載されるベース台等を取り外したリニアモータの本体側の構造を示す写真による斜視図（ａ）。
【図３】本考案のテンションカバープレートの構造を示す上面図（ａ）及び図３（ａ）のＡ−Ａ線断面図（ｂ）及びテンションカバープレートの端面の構造を示す部分斜視図（ｃ）。
【図４】本考案のテンションプレートの平面図。
【図５】本考案の作用を説明するための部分的正面図（ａ）及び図５（ａ）のＢ−Ｂ線部分断面図（ｂ）。
【考案を実施するための形態】
【００１１】
以下、本考案のリニアモータの塵埃防止構造の実施の形態を図面を参照して詳述する。
まず、図１により本考案のリニアモータの塵埃防止構造が設けられているリニアモータ１００の全体構造を説明する。
図１及び図２に示すようにリニアモータ１００は駆動部（図に明示していない）を収納している本体５と、この本体５の開口部６（図２）を閉止するバネ板状のテンションカバープレート２と、本体５側の駆動部に連結固定されている移動プレート４（図２）と、移動プレート４に載置される移動物を搭載するベース台３等とからなる。
なお、テンションカバープレート２はベース台３と移動プレートとの間を貫通し、その両端を本体５側に固定されて配設される。
【００１２】
次に、本考案の主要構成要素であるテンションカバープレート２の構造を説明する。
テンションプレート１は厚み１ｍｍのステンレス板を図４に示す形状にプレス打ち抜きしたものからなる。
図示のようにテンションプレート１は平板部１ａとその前面側に形成されるバネ部１ｂと、平板部１ｂの中央に形成される溝１ｃ等とからなる。バネ部１ｂは図示のようにバネ変形ができるＬ型に曲げられた細片状のものからなり、係止部１ｄと突起バネ部１ｅを形成するものからなる。また、係止部１ｆはバネ部１ｂと反対側にも形成されている。
【００１３】
一方、テンションカバープレート２は図３に示す形状のものからなり、図３（ａ）に示すように本体５の開口部６を閉止し細長のバネ板からなる。また、その両端には図３（ａ），（ｂ），（ｃ）に示すように両端の中央部を折り曲げた係止部７，７が形成されている。この係止部７はテンションプレート１の溝１ｃに挿入される形状からなり、この係止部７，７を本体５側に弾着されているテンションプレート１の溝１ｃに係着することによりテンションカバープレート２はその長手方向に張力を付加されるものからなる。
【００１４】
図５は以上の構造のテンションプレート１を本体５に取り付け状態で示す。本体５には細孔８が開口形成され、テンションプレート１はこの細孔８に突起バネ部１ｅを挿入すると共に細孔８の縁部に係止部１ｄ，１ｆを係着して本体５側に取り付けられる。
テンションカバープレート２は本体５側に張架され、かつバネ力を受けて取り付けられているテンションプレート１により長手方向に更に張架される。テンションカバープレート２が以上のように本体５側に張架され、この状態に固定板８により固定されるためテンションカバープレート２は常に引き伸ばされた状態に本体５に取り付けられる。このためテンションカバープレート２の両側からのゴミ等の進入が防止され、塵埃防止の効果を上げることができる。
本考案は、以上の説明のものからなるが、この内容に限定するものではなく、同一技術的範疇のものが適用されることは勿論である。
【産業上の利用可能性】
【００１５】
本考案は、リニアモータの塵埃防止を目的としたものであるが、リニアモータに限定するものではなく、テンションカバープレートの如きものを配設する他のものにも適用可能である。
【符号の説明】
【００１６】
１    テンションプレート
１ａ  平板部
１ｂ  バネ部
１ｃ  溝
１ｄ  係止部
１ｅ  突起バネ部
１ｆ  係止部
２    テンションカバープレート
３    ベース台
４    移動プレート
５    本体
６    開口部
８    細孔
９    固定板
【図１】
0003156302.tif 000003
【図２】
0003156302.tif 000004
【図３】
0003156302.tif 000005
【図４】
0003156302.tif 000006
【図５】
0003156302.tif 000007